(57)【要約】【課題】通信装置が不正な手段によってサービス提供装置と通信接続することを防ぐ。【解決手段】サービスサーバ２０は、通信端末１０から音声データを取得するセンサ情報取得部２１３と、上記音声データが、サービス提供エリアにおいて出力されている音声を含むか判定する照合部２１４と、照合部２１４が上記音声データがサービス提供エリアにおいて出力されている音声を含むと判定した場合に、通信端末１０とサービスサーバ２０との通信接続を許可するサービス制御部２１５とを備えている【選択図】図１
2014056398.tif 000002
【特許請求の範囲】
【請求項１】
予め定められたサービス提供エリア内に存在する通信端末について、該サービスを提供するサービス提供装置との通信接続を許可する接続制御装置であって、
上記通信端末から該通信端末の周囲の音声を含む音声データである端末音声データを取得する端末音声取得手段と、
上記端末音声データが、上記サービス提供エリアにおいて出力されている音声を含むか判定する判定手段と、
上記判定手段が、上記端末音声データがサービス提供エリアにおいて出力されている音声を含むと判定した場合に、上記通信端末と上記サービス提供装置との通信接続を許可する接続制御手段とを備えていることを特徴とする接続制御装置。
【請求項２】
上記サービス提供エリア内の上記通信端末に上記接続制御装置にアクセスするためのアドレス情報を送信するか、または該アドレス情報を表示するアドレス情報提供装置に対して、当該アドレス情報を送信するアドレス送信手段を備えていることを特徴とする請求項１に記載の接続制御装置。
【請求項３】
上記サービス提供エリアに配置されている音声出力装置から音声を出力させる音声出力制御手段を備え、
上記判定手段は、上記音声出力制御手段が出力させている音声の音声データと上記端末音声データとを照合することによって上記判定を行うことを特徴とする請求項１または２に記載の接続制御装置。
【請求項４】
上記接続制御装置は、上記音声出力装置と一体の装置として構成されていると共に、画像を表示する表示装置とも一体の装置として構成されており、
上記音声出力制御手段は、上記音声出力装置に上記サービスに関する音声を出力させ、
上記表示装置に上記サービスに関する画像を表示させる表示制御手段を備えていることを特徴とする請求項３に記載の接続制御装置。
【請求項５】
上記サービス提供エリアにおいて出力されている音声を音声データとして取得する音声データ取得装置から、該音声データを取得するエリア音声取得手段を備え、
上記判定手段は、上記エリア音声取得手段が取得した音声データと上記端末音声データとを照合することによって上記判定を行うことを特徴とする請求項１または２に記載の接続制御装置。
【請求項６】
上記端末音声取得手段は、上記サービス提供装置から上記通信接続を介して上記サービスが提供されている上記通信端末から上記端末音声データを取得し、
上記接続制御手段は、上記判定手段が、上記サービスの提供を受けている上記通信端末から取得した上記端末音声データがサービス提供エリアにおいて出力されている音声を含まないと判定した場合に、上記通信接続を切断させて上記サービスの提供を終了させることを特徴とする請求項１から５の何れか１項に記載の接続制御装置。
【請求項７】
上記接続制御手段は、上記サービス提供装置から上記通信接続を介して上記サービスが提供されている通信端末について、一定のまたはランダムな時間間隔で上記端末音声取得手段に上記端末音声データを取得させると共に、上記判定手段に上記判定を行わせることを特徴とする請求項６に記載の接続制御装置。
【請求項８】
上記接続制御装置は、上記サービス提供装置と一体の装置として構成されており、
上記端末音声データの示す音の大きさに応じて提供するサービスの内容を異ならせるサービス制御手段を備えていることを特徴とする請求項１から７の何れか１項に記載の接続制御装置。
【請求項９】
予め定められたサービス提供エリア内に存在する通信端末について、該サービスを提供するサービス提供装置との通信接続を許可する接続制御装置であって、
上記サービス提供エリア内であれば受信可能な所定の放送を、上記通信端末が受信可能であるか判定する受信可否判定手段と、
上記受信可否判定手段が受信可能であると判定した場合に、上記通信端末と上記サービス提供装置との通信接続を許可する接続制御手段とを備えていることを特徴とする接続制御装置。
【請求項１０】
予め定められたサービス提供エリア内に存在する通信端末について、該サービスを提供するサービス提供装置との通信接続を許可する接続制御装置と、該サービス提供装置とを含むサービス提供システムであって、
上記接続制御装置は、上記通信端末から該通信端末の周囲の音声を含む音声データである端末音声データを取得する端末音声取得手段と、上記端末音声データが上記サービス提供エリアにおいて出力されている音声を含むか判定する判定手段と、上記判定手段が上記端末音声データがサービス提供エリアにおいて出力されている音声を含むと判定した場合に上記通信端末と上記サービス提供装置との通信接続を許可する接続制御手段とを備え、
上記サービス提供装置は、上記接続制御手段が許可した場合に、上記通信端末と通信接続を確立して上記サービスを提供することを特徴とするサービス提供システム。
【請求項１１】
予め定められたサービス提供エリア内に存在する通信端末について、該サービスを提供するサービス提供装置との通信接続を許可する接続制御装置による接続制御方法であって、
上記通信端末から該通信端末の周囲の音声を含む音声データである端末音声データを取得する端末音声取得ステップと、
上記端末音声データが、上記サービス提供エリアにおいて出力されている音声を含むか判定する判定ステップと、
上記判定ステップにて、上記端末音声データがサービス提供エリアにおいて出力されている音声を含むと判定した場合に、上記通信端末と上記サービス提供装置との通信接続を許可する接続制御ステップとを含むことを特徴とする接続制御方法。
【請求項１２】
予め定められたサービス提供エリア内に存在する通信端末について、該サービスを提供するサービス提供装置との通信接続を許可する接続制御装置による接続制御方法であって、
上記サービス提供エリア内であれば受信可能な所定の放送を、上記通信端末が受信可能であるか判定する受信可否判定ステップと、
上記受信可否判定ステップにて受信可能であると判定した場合に、上記通信端末と上記サービス提供装置との通信接続を許可する接続制御ステップとを含むことを特徴とする接続制御方法。
【請求項１３】
請求項１から９の何れか１項に記載の接続制御装置を動作させるための制御プログラムであって、コンピュータを上記各手段として機能させるための制御プログラム。
【請求項１４】
請求項１３に記載の制御プログラムを記録したコンピュータ読み取り可能な記録媒体。
【発明の詳細な説明】
【技術分野】
【０００１】
本発明は、サービス提供装置から通信端末にサービスを提供するサービス提供システムに関し、より詳細には特定のエリアに存在する通信端末のみが上記サービス提供装置に通信接続することを可能にする接続制御装置に関する。
【背景技術】
【０００２】
従来から、サーバから通信端末にサービスを提供することが広く行われている。このようなサービスは、特定の通信端末のみを対象として行われることが通常であり、このため、サービスを開始する際には、一般にアクセス認証が行われる。
【０００３】
通信端末のアクセス認証の手段としては、端末ＩＤ／パスワード、ワンタイムパスワード、ディジタル証明書などを用いることが広く知られている。また、無線基地局を利用して得た通信端末の位置情報や、ＧＰＳにて取得した位置情報を用い、アクセス認証を行う方法も知られている。
【０００４】
例えば、下記特許文献１には、携帯端末からの接続要求があると、携帯端末からユーザ識別子、パスワード、携帯端末の位置情報を取得し、情報アクセス可能情報に基づいて、所定の情報を携帯端末に送信する情報提供サーバが記載されている。
【０００５】
また、下記特許文献２には、ユーザがクライアントＰＣを利用して機密文書サーバへアクセスする際、クライアントＰＣは、携帯端末からその位置情報を取得し、取得した位置情報を機密文書サーバへ転送することが記載されている。そして、機密文書サーバは、携帯端末の位置情報が予め登録されたサービス利用範囲外であれば、クライアントＰＣによる機密文書へのアクセスを禁止することが記載されている。
【０００６】
さらに、下記特許文献３には、通信端末の位置を含む地域定義データをデータベース内で発見したときに、それに対応するサービス定義データに従って、通信端末に限定サービスを提供するコンテンツサーバが記載されている。
【先行技術文献】
【特許文献】
【０００７】
【特許文献１】特開２００４−３２０６１７号公報（２００４年１１月１１日公開）
【特許文献２】特開２００５−２０９１４６号公報（２００５年  ８月  ４日公開）
【特許文献３】特開２００５−３０９８９０号公報（２００５年１１月  ４日公開）
【特許文献４】特開２００７−１３３７４３号公報（２００７年  ５月３１日公開）
【発明の概要】
【発明が解決しようとする課題】
【０００８】
しかしながら、上述の従来技術では、通信端末が位置情報を偽装してサーバに送信した場合、サーバは受信した位置情報が偽装されたものと見破ることが難しい。ゆえに、位置情報の偽装により、本来アクセス権限が無い、またはサービスを受けられる地域に居ないユーザに対しても、アクセス許可やサービス提供を行ってしまうという問題がある。
【０００９】
本発明は、上記の問題点に鑑みてなされたものであり、その目的は、所定のサービス提供エリアの通信端末にサービスを提供するにあたり、不正な手段を用いてサービス提供装置に通信接続することを困難にすることのできる接続制御装置等を提供することにある。
【課題を解決するための手段】
【００１０】
上記の課題を解決するために、本発明の接続制御装置は、予め定められたサービス提供エリア内に存在する通信端末について、該サービスを提供するサービス提供装置との通信接続を許可する接続制御装置であって、上記通信端末から該通信端末の周囲の音声を含む音声データである端末音声データを取得する端末音声取得手段と、上記端末音声データが、上記サービス提供エリアにおいて出力されている音声を含むか判定する判定手段と、上記判定手段が、上記端末音声データがサービス提供エリアにおいて出力されている音声を含むと判定した場合に、上記通信端末と上記サービス提供装置との通信接続を許可する接続制御手段とを備えていることを特徴としている。
【００１１】
また、上記の課題を解決するために、本発明の接続制御方法は、予め定められたサービス提供エリア内に存在する通信端末について、該サービスを提供するサービス提供装置との通信接続を許可する接続制御装置による接続制御方法であって、上記通信端末から該通信端末の周囲の音声を含む音声データである端末音声データを取得する端末音声取得ステップと、上記端末音声データが、上記サービス提供エリアにおいて出力されている音声を含むか判定する判定ステップと、上記判定ステップにて、上記端末音声データがサービス提供エリアにおいて出力されている音声を含むと判定した場合に、上記通信端末と上記サービス提供装置との通信接続を許可する接続制御ステップとを含むことを特徴としている。
【００１２】
上記の構成によれば、通信端末から該通信端末の周囲の音声を含む音声データである端末音声データを取得して、該端末音声データが、サービス提供エリアにおいて出力されている音声を含むか判定する。そして、この端末音声データがサービス提供エリアにおいて出力されている音声を含むと判定した場合に、通信端末とサービス提供装置との通信接続を許可する。
【００１３】
これにより、位置情報等を用いて認証を行う上記の従来技術と比べて、通信端末が不正な手段を用いてサービス提供装置に通信接続することを困難にすることができる。サービス提供エリアにおいてどのような音が出力されているかは、そのときにサービス提供エリアに居なければ分からないためである。
【００１４】
また、上記接続制御装置は、上記サービス提供エリア内の上記通信端末に上記接続制御装置にアクセスするためのアドレス情報を送信するか、または該アドレス情報を表示するアドレス情報提供装置に対して、当該アドレス情報を送信するアドレス送信手段を備えていることが好ましい。
【００１５】
上記の構成によれば、アドレス情報提供装置にアドレス情報を送信するので、通信端末は、アドレス情報提供装置からアドレス情報を取得することができる。具体的には、アドレス情報提供装置がアドレス情報を送信するものである場合、サービス提供エリア内に入ることでアドレス情報を受信して取得することができる。また、アドレス情報提供装置がアドレス情報を表示するものである場合、この表示が知得できる程度にアドレス情報提供装置に近接することによってアドレス情報を取得することができる。
【００１６】
したがって、上記の構成によれば、通信端末のユーザは、アドレス情報提供装置から通信端末にアドレス情報を取得させて、スムーズに接続制御装置にアクセスすることができる。
【００１７】
なお、端末音声データがサービス提供エリアにおいて出力されている音声を含むか否かの判定方法は特に限定されないが、例えば以下のようにして判定を行ってもよい。
【００１８】
すなわち、上記接続制御装置は、上記サービス提供エリアに配置されている音声出力装置から音声を出力させる音声出力制御手段を備え、上記判定手段は、上記音声出力制御手段が出力させている音声の音声データと上記端末音声データとを照合することによって上記判定を行う構成であってもよい。
【００１９】
また、上記接続制御装置は、上記音声出力装置と一体の装置として構成されていると共に、画像を表示する表示装置とも一体の装置として構成されており、上記音声出力制御手段は、上記音声出力装置に上記サービスに関する音声を出力させ、上記表示装置に上記サービスに関する画像を表示させる表示制御手段を備えていることが好ましい。
【００２０】
上記の接続制御装置は、音声出力装置および表示装置と一体の装置として構成されている。つまり、この接続制御装置は、音声の出力と画像の表示とを行うことができる。そして、この接続制御装置は、音声出力装置にサービスに関する音声を出力させると共に、表示装置にサービスに関する画像を表示させる。
【００２１】
したがって、表示装置に表示される画像が視認でき、音声出力装置からの音声が聞こえる程度に接続制御装置の近くに居る者に、当該サービスの提供を受けることができると認識させることができる。
【００２２】
そして、音声出力装置からの音声が聞こえる程度に接続制御装置の近くに居る者が通信端末を所持している場合、この通信端末が生成した端末音声データは、音声出力装置から出力される音声を含むものとなり得る。つまり、上記の構成によれば、サービスの提供を受けることができると認識した者に対してサービスを提供することができる。
【００２３】
また、上記接続制御装置は、上記サービス提供エリアにおいて出力されている音声を音声データとして取得する音声データ取得装置から、該音声データを取得するエリア音声取得手段を備え、上記判定手段は、上記エリア音声取得手段が取得した音声データと上記端末音声データとを照合することによって上記判定を行う構成であってもよい。
【００２４】
上記構成とした場合にも、端末音声データがサービス提供エリアにおいて出力されている音声を含むか否かを判定することができる。
【００２５】
上記端末音声取得手段は、上記サービス提供装置から上記通信接続を介して上記サービスが提供されている上記通信端末から上記端末音声データを取得し、上記接続制御手段は、上記判定手段が、上記サービスの提供を受けている上記通信端末から取得した上記端末音声データがサービス提供エリアにおいて出力されている音声を含まないと判定した場合に、上記通信接続を切断させて上記サービスの提供を終了させることが好ましい。
【００２６】
上記の構成によれば、サービスが提供されている通信端末から端末音声データを取得し、取得した端末音声データがサービス提供エリアにおいて出力されている音声を含まないと判定した場合に、通信接続を切断させてサービスの提供を終了させる。
【００２７】
したがって、サービスの提供開始後に通信端末がサービス提供エリア外となったときに、サービスの提供を終了させることができる。これにより、サービス提供エリア内の通信端末のみにサービスを提供することが可能になる。
【００２８】
上記接続制御手段は、上記サービス提供装置から上記通信接続を介して上記サービスが提供されている通信端末について、一定のまたはランダムな時間間隔で上記端末音声取得手段に上記端末音声データを取得させると共に、上記判定手段に上記判定を行わせることが好ましい。
【００２９】
上記の構成によれば、サービスが提供されている通信端末について、一定のまたはランダムな時間間隔で端末音声データを取得させると共に、端末音声データがサービス提供エリアにおいて出力されている音声を含むかの判定を行わせる。
【００３０】
したがって、サービス提供開始後に通信端末が移動を続けているような場合であっても、通信端末がサービス提供エリア内に存在する期間のみにサービスを提供することが可能になる。
【００３１】
また、上記接続制御装置は、上記サービス提供装置と一体の装置として構成されており、上記端末音声データの示す音の大きさに応じて提供するサービスの内容を異ならせるサービス制御手段を備えていることが好ましい。
【００３２】
上記の構成によれば、端末音声データの示す音の大きさに応じて提供するサービスの内容を異ならせる。ここで、サービス提供エリアにおいて音声を出力する音源から近いほど、通信端末で取得した端末音声データの示す音の大きさは大きくなると考えられる。
【００３３】
このため、上記の構成によれば、音源からの距離に応じたサービスが提供されることになる。したがって、上記の構成によれば、音源からの距離によらず同じサービスを提供する場合と比べて、サービスに深みを持たせ、娯楽性を高めることが可能になる。
【００３４】
また、本発明の他の接続制御装置は、上記課題を解決するために、予め定められたサービス提供エリア内に存在する通信端末について、該サービスを提供するサービス提供装置との通信接続を許可する接続制御装置であって、上記サービス提供エリア内であれば受信可能な所定の放送を、上記通信端末が受信可能であるか判定する受信可否判定手段と、上記受信可否判定手段が受信可能であると判定した場合に、上記通信端末と上記サービス提供装置との通信接続を許可する接続制御手段とを備えていることを特徴としている。
【００３５】
そして、本発明の他の接続制御方法は、上記課題を解決するために、予め定められたサービス提供エリア内に存在する通信端末について、該サービスを提供するサービス提供装置との通信接続を許可する接続制御装置による接続制御方法であって、上記サービス提供エリア内であれば受信可能な所定の放送を、上記通信端末が受信可能であるか判定する受信可否判定ステップと、上記受信可否判定ステップにて受信可能であると判定した場合に、上記通信端末と上記サービス提供装置との通信接続を許可する接続制御ステップとを含むことを特徴としている。
【００３６】
上記の構成によれば、サービス提供エリア内であれば受信可能な所定の放送を、上記通信端末が受信可能であるか判定し、受信可能であると判定した場合に、通信端末とサービス提供装置との通信接続を許可する。
【００３７】
これにより、位置情報等を用いて認証を行う上記の従来技術と比べて、通信端末が不正な手段を用いてサービス提供装置に通信接続することを困難にすることができる。サービス提供エリアにおいてどのような放送が受信可能であるかは、そのときにサービス提供エリアに居なければ知得することが困難であるためである。また、受信可能な放送によって通信接続の許否を判定することは一般に行われていないため、受信可能な放送を偽装するという行為自体に想到することが困難であり、偽装によってサービスの提供を受けることは困難である。
【００３８】
また、本発明のサービス提供システムは、上記課題を解決するために、予め定められたサービス提供エリア内に存在する通信端末について、該サービスを提供するサービス提供装置との通信接続を許可する接続制御装置と、該サービス提供装置とを含むサービス提供システムであって、上記接続制御装置は、上記通信端末から該通信端末の周囲の音声を含む音声データである端末音声データを取得する端末音声取得手段と、上記端末音声データが上記サービス提供エリアにおいて出力されている音声を含むか判定する判定手段と、上記判定手段が上記端末音声データがサービス提供エリアにおいて出力されている音声を含むと判定した場合に上記通信端末と上記サービス提供装置との通信接続を許可する接続制御手段とを備え、上記サービス提供装置は、上記接続制御手段が許可した場合に、上記通信端末と通信接続を確立して上記サービスを提供することを特徴としている。
【００３９】
上記サービス提供システムであれば、上記接続制御装置と同様の効果を奏する。
【００４０】
なお、上記接続制御装置は、コンピュータによって実現してもよく、この場合には、コンピュータを上記接続制御装置の各手段として動作させることにより、上記接続制御装置をコンピュータにて実現させる制御プログラム、及びそれを記録したコンピュータ読み取り可能な記録媒体も本発明の範疇に入る。
【発明の効果】
【００４１】
以上のように、本発明の接続制御装置は、通信端末から該通信端末の周囲の音声を含む音声データである端末音声データを取得する端末音声取得手段と、上記端末音声データが、サービス提供エリアにおいて出力されている音声を含むか判定する判定手段と、上記判定手段が、上記端末音声データがサービス提供エリアにおいて出力されている音声を含むと判定した場合に、上記通信端末と上記サービス提供装置との通信接続を許可する接続制御手段とを備えている構成である。
【００４２】
また、本発明の接続制御方法は、通信端末から該通信端末の周囲の音声を含む音声データである端末音声データを取得する端末音声取得ステップと、上記端末音声データが、サービス提供エリアにおいて出力されている音声を含むか判定する判定ステップと、上記判定ステップにて、上記端末音声データがサービス提供エリアにおいて出力されている音声を含むと判定した場合に、上記通信端末と上記サービス提供装置との通信接続を許可する接続制御ステップとを含む構成である。
【００４３】
そして、本発明のサービス提供システムは、接続制御装置は、通信端末から該通信端末の周囲の音声を含む音声データである端末音声データを取得する端末音声取得手段と、上記端末音声データがサービス提供エリアにおいて出力されている音声を含むか判定する判定手段と、上記判定手段が上記端末音声データがサービス提供エリアにおいて出力されている音声を含むと判定した場合に上記通信端末と上記サービス提供装置との通信接続を許可する接続制御手段とを備え、サービス提供装置は、上記接続制御手段が許可した場合に、上記通信端末と通信接続を確立して上記サービスを提供する構成である。
【００４４】
また、本発明の他の接続制御装置は、サービス提供エリア内であれば受信可能な所定の放送を、通信端末が受信可能であるか判定する受信可否判定手段と、上記受信可否判定手段が受信可能であると判定した場合に、上記通信端末とサービス提供装置との通信接続を許可する接続制御手段とを備えている構成である。
【００４５】
そして、本発明の他の接続制御方法は、サービス提供エリア内であれば受信可能な所定の放送を、通信端末が受信可能であるか判定する受信可否判定ステップと、上記受信可否判定ステップにて受信可能であると判定した場合に、上記通信端末とサービス提供装置との通信接続を許可する接続制御ステップとを含む構成である。
【００４６】
上記の各構成によれば、位置情報等を用いて認証を行う上記の従来技術と比べて、通信端末が不正な手段を用いてサービス提供装置に通信接続することを困難にすることができるという効果を奏する。
【図面の簡単な説明】
【００４７】
【図１】本発明の一実施形態にかかるサービス提供システムに含まれる通信端末およびサービスサーバの要部構成を示すブロック図である。
【図２】上記サービス提供システムの動作概要を示す図であり、同図（ａ）は認証時の動作を示し、同図（ｂ）は認証後の動作を示している。
【図３】上記通信端末の外観の一例を示す図であり、同図（ａ）はスマートフォンとした場合の外観の一例を示し、同図（ｂ）はタブレット型端末とした場合の外観の一例を示している。
【図４】上記サービス提供システムに含まれる表示装置の外観の一例を示す図であり、同図（ａ）は大型ディスプレイパネルとした場合の例を示し、同図（ｂ）はマルチディスプレイパネルとした場合の例を示している。
【図５】上記サービス提供システムに含まれる出力装置の外観の一例を表す図であり、同図（ａ）は出力装置単体で設置される場合の例を示し、同図（ｂ）および（ｃ）は出力装置が表示装置と一体型となっている場合の例を示している。
【図６】上記サービス提供システムにおける処理（接続制御方法）の一例を示すフローチャートである。
【図７】上記サービス提供システムにてチャットを行うことのできるサービスを提供した場合の例を説明する図である。
【図８】本発明の他の実施形態を示す図であり、出力装置の近傍に配置された入力装置で取得した音声データを照合に用いるサービス提供システムの動作概要を示す図であり、同図の（ａ）は認証時の動作を示し、同図の（ｂ）は認証後の動作を示している。
【図９】上記サービス提供システムに含まれる通信端末およびサービスサーバの要部構成を示すブロック図である。
【図１０】上記サービス提供システムにおける処理（接続制御方法）の一例を示すフローチャートである。
【図１１】上記サービス提供システムにおいて、サービスサーバから音声データの送信を要求する場合の処理の一例を示すフローチャートである。
【図１２】本発明のさらに他の実施形態を示す図であり、地域限定放送を受信可能な通信端末にサービスを提供するサービス提供システムの動作概要を示す図である。同図の（ａ）は認証時の動作を示し、同図の（ｂ）は認証後の動作を示している。
【図１３】上記サービス提供システムに含まれる通信端末およびサービスサーバの要部構成を示すブロック図である。
【図１４】上記サービス提供システムにおける処理（接続制御方法）の一例を示すフローチャートである。
【発明を実施するための形態】
【００４８】
〔実施の形態１〕
以下、本発明の一実施形態について、図１から図７に基づいて詳細に説明する。
【００４９】
＜動作概要＞
まず、本発明の第１の実施形態に係るサービス提供システムの動作概要を図２に基づいて説明する。図２は、サービス提供システム１の動作概要を示す図であり、同図（ａ）は認証時の動作を示し、同図（ｂ）は認証後の動作を示している。
【００５０】
図２に示したサービス提供システム１は、通信端末１０と、サービスサーバ（接続制御装置、サービス提供装置）２０と、コンテンツサーバ３０と、表示装置４１と、出力装置（音声出力装置）４０とを含む。サービスサーバ２０とコンテンツサーバ３０、サービスサーバ２０と通信端末１０、およびサービスサーバ２０と出力装置４０は、それぞれネットワークを介してデータ通信を行うように構成されている。
【００５１】
サービス提供システム１は、出力装置４０の周囲（サービス提供エリア内）の通信端末１０に対してサービスサーバ２０から所定のサービスを提供するシステムである。なお、出力装置４０の近傍には表示装置４１が配置されているため、サービス提供エリアは表示装置４１の周囲のエリアであるとも言える。
【００５２】
サービス提供システム１では、出力装置４０（表示装置４１）の付近の通信端末１０のみにサービスを提供するために、サービスの提供にあたり、まず通信端末１０の認証を行う。同図（ａ）に基づいてこの認証について説明する。
【００５３】
同図（ａ）の例において、サービスサーバ２０は、コンテンツサーバ３０からコンテンツデータを受信し、出力装置４０に送信している。そして、出力装置４０は、上記コンテンツデータを受信して出力している。なお、コンテンツデータとは、音楽や環境音など、音声データを含むデータである。
【００５４】
認証の際には、サービスサーバ２０は、通信端末１０の備えるセンサで検出したセンサ情報を該通信端末１０から取得する。なお、ここでは通信端末１０が自端末の周囲の音声を音声データとして取得するマイクロフォン（以下、単にマイクと呼ぶ）を備えており、このマイクで取得した音声データを上記センサ情報としてサービスサーバ２０にアップロードすることを想定している。
【００５５】
そして、サービスサーバ２０は、通信端末１０から取得したセンサ情報（音声データ）と上記コンテンツデータとを照合して、通信端末１０がサービス提供エリア内にあるか判定する。
【００５６】
上述の通り、コンテンツデータは出力装置４０から出力されるため、通信端末１０が出力装置４０の近くに存在すれば、通信端末１０の送信するセンサ情報には出力装置４０から出力された音声が反映される。
【００５７】
このため、センサ情報とコンテンツデータとを照合することによって、通信端末１０が出力装置４０の近くに存在するか否か、すなわち通信端末１０がサービス提供エリア内にあるかを判定することができる。
【００５８】
ここで、通信端末１０がサービス提供エリア内にあると判定されると、サービスサーバ２０は、認証成功と判断して、通信端末１０と通信接続（セッション）を確立し、該通信接続を介して通信端末１０に対するサービスの提供を開始する。一方、通信端末１０がサービス提供エリア外にあると判定された場合には、認証失敗と判断する。この場合、通信接続を行わず、サービスの提供も開始しない。
【００５９】
このように、サービス提供システム１によれば、表示装置４１（出力装置４０）の付近の通信端末１０のユーザに対してのみサービスを提供することができる。
【００６０】
ここで、同図（ｂ）に示すように、認証に成功し、サービスサーバ２０との通信接続を確立した通信端末１０は、サービスサーバ２０に生存応答および自機のセンサ情報を送信する。
【００６１】
なお、同図では、通信端末１０とサービスサーバ２０との間の通信が双方向通信である例を示しているが、単方向通信であってもよい。また、生存応答は、双方向通信のセッションを利用して送信してもよい。加えて、表示装置４１とサービスサーバ２０との間の通信も双方向通信である例を示しているが、表示装置４１とサービスサーバ２０とは必ずしも通信を行わなくてもよいし、通信を行う場合も双方向通信であっても、単方向通信であってもよい。ただし、通信可能に構成されている場合には、サービスの告知を表示装置４１に表示させる等、サービスに関する画像を表示装置４１に表示させることができるので、表示装置４１とサービスサーバ２０とは通信可能に構成されることが好ましい。
【００６２】
そして、サービスサーバ２０は、認証時と同様に、通信端末１０から受信したセンサ情報と、コンテンツデータとを照合する。ここで、通信端末１０がサービス提供エリア内にあると判定した場合には、通信接続を維持してサービスの提供を続ける。一方、通信端末１０がサービス提供エリア外にあると判定した場合には、通信接続を切断してサービスの提供を終了する。これにより、認証後に出力装置４０から離れた通信端末１０に対するサービスの提供を打ち切ることができる。
【００６３】
＜通信端末、表示装置および出力装置の具体例＞
次に、図２で図示した通信端末１０、表示装置４１、および出力装置４０の具体例について、図３〜図５を用いて説明する。
【００６４】
図３は、通信端末１０の外観の一例を示す図であり、同図（ａ）はスマートフォンとした場合の外観の一例を示し、同図（ｂ）はタブレット型端末とした場合の外観の一例を示している。
【００６５】
なお、本実施形態では、通信端末１０が音声録音機能を有するスマートフォンである場合の例を説明するが、通信端末１０は、サービスサーバ２０と通信可能であり、何らかの方法により周囲の音声を取得可能な装置であればよく、この例に限られない。例えば、通信端末１０は、携帯電話機、ＰＤＡ（Personal Digital Assistant）、ノート型ＰＣ（Personal Computer）などであっても構わない。また、周囲の音声を取得できない（音声取得機能が無い）端末にマイク等の外部装置を接続し、通信端末１０として使用しても構わない。
【００６６】
一方、図４は、表示装置４１の外観の一例を示す図であり、同図（ａ）は大型ディスプレイパネルとした場合の例を示し、同図（ｂ）はマルチディスプレイパネルとした場合の例を示している。
【００６７】
表示装置４１は、画像を表示する表示装置である。サービス提供システム１では、サービスサーバ２０が表示装置４１と通信可能に構成されており、表示装置４１はサービスサーバ２０から受信した静止画像や動画像を表示させる。例えば、該表示装置４１の付近で提供されるサービスを告知する画像や、サービスの提供を受けているユーザ向けの画像を表示する。無論、サービス提供システム１において、表示装置４１に表示させる画像は、これらの例に限られず、放送番組の影像等のような他の画像を表示させてもよい。
【００６８】
図５は、出力装置４０の外観の一例を表す図である。同図（ａ）は単体で設置される出力装置４０の例を示し、同図（ｂ）および（ｃ）は、出力装置４０と表示装置４１とが一体型となっている場合の例を示している。
【００６９】
同図（ａ）は、出力装置４０を、表示装置４１と独立したスピーカーとして構成した例を示している。この場合、出力装置４０は、表示装置４１の近傍に設置される。なお、出力装置４０が出力するコンテンツデータは、サービスサーバ２０から受信したものであるから、出力装置４０と表示装置４１とが有線または無線接続されている必要はない。ただし、これら装置が接続されている場合には、出力装置４０は表示装置４１の音声出力装置としても利用することができるため、出力装置４０と表示装置４１とは有線または無線接続されていることが好ましい。
【００７０】
同図（ｂ）の例では、表示装置４１がテレビジョン受像機であり、出力装置４０がその音声出力部を構成している。この例によれば、テレビジョン受像機の近傍のユーザのみにサービスを提供することができる。
【００７１】
また、同図（ｃ）の例では、表示装置４１がパーソナルコンピュータの表示装置であり、出力装置４０がその音声出力部を構成している。この例によれば、パーソナルコンピュータの近傍のユーザのみにサービスを提供することができる。
【００７２】
＜要部構成＞
次に、本発明に係るサービス提供システムに含まれる各装置の構成を図１に基づいて説明する。図１は、図２に示したサービス提供システム１に含まれる通信端末１０およびサービスサーバ２０の要部構成を示すブロック図である。
【００７３】
（通信端末１０）
通信端末１０は、サービスの提供を受ける端末装置であり、入力部１００と、通信端末制御部１１０と、通信端末センサ部１２０と、表示部１３０と、通信端末通信部１４０とを備えている。
【００７４】
入力部１００は、通信端末１０のユーザの操作を受け付け、操作内容を通信端末制御部１１０に送るものである。
【００７５】
通信端末制御部１１０は、通信端末１０を統括的に制御するものである。具体的には、通信端末１０のセンサ情報をサービスサーバ２０に送信する処理や、サービスサーバ２０から受信したサービスデータ等を表示部１３０に表示させる処理を行う。
【００７６】
通信端末センサ部１２０は、通信端末１０が、自機の周囲の音声からセンサ情報を生成するものである。具体的には、通信端末センサ部１２０は、通信端末１０の周囲の音声を音声データに変換するマイクであり、この音声データをセンサ情報と呼ぶ。このセンサ情報は、通信端末通信部１４０を介してサービスサーバ２０に送信される。
【００７７】
表示部１３０は、画像を表示するためのものである。上記の通り、表示部１３０には、サービスサーバ２０から受信したサービスデータ等が表示される。
【００７８】
通信端末通信部１４０は、通信端末１０が外部の装置と通信するためのものである。具体的には、通信端末通信部１４０は、ネットワークを介してサービスサーバ２０のサービスサーバ通信部２００とデータの送受信を行う。
【００７９】
（サービスサーバ２０）
サービスサーバ２０は、通信端末１０にサービスを提供すると共に、出力装置４０にコンテンツを送信して出力させるサーバである。図示のように、サービスサーバ２０は、サービスサーバ通信部２００と、サービスサーバ制御部２１０と、記憶部２２０とを備えている。
【００８０】
サービスサーバ通信部２００は、サービスサーバ２０が外部の装置と通信するためのものである。具体的には、サービスサーバ通信部２００は、ネットワークを介して通信端末１０、コンテンツサーバ３０、および出力装置４０とデータの送受信を行う。サービスサーバ通信部２００は、データを受信したときには、受信したデータをサービスサーバ制御部２１０へ送る。なお、ここでは、１つのサービスサーバ通信部２００にて通信端末１０および出力装置４０と通信する例を説明するが、これらの装置と個別の通信部を介して通信してもよく、またその通信方式がそれぞれ異なっていても構わない。
【００８１】
サービスサーバ制御部２１０は、サービスサーバ２０を統括的に制御するものであり、センサ情報取得部（端末音声取得手段）２１３、照合部（判定手段）２１４、コンテンツ送信部（音声出力制御手段）２１１、照合対象データ取得部２１２、およびサービス制御部（接続制御手段）２１５を含んでいる。
【００８２】
センサ情報取得部２１３は、サービスサーバ通信部２００を介してセンサ情報（端末音声データ）を受信し、照合部２１４に送る。なお、センサ情報取得部２１３は、受信したセンサ情報を、照合部２１４が照合し易いように加工してもよい。例えば、センサ情報のデータサイズが所定の閾値を超えている場合に、センサ情報のデータを間引く、一部を抽出する等して閾値以下のデータサイズとしてもよい。また、ノイズを低減するフィルタをかける等の加工を行ってもよい。
【００８３】
コンテンツ送信部２１１は、コンテンツサーバ３０から受信したコンテンツデータを出力装置４０に送信して出力させる。より詳細には、コンテンツ送信部２１１は、コンテンツデータをストリーミング配信する。つまり、出力装置４０は、コンテンツデータのうち、コンテンツ送信部２１１が配信済みの位置までの部分を再生してゆくことになる。
【００８４】
なお、出力装置４０に出力させるコンテンツデータは、楽曲等のサービスとは関係のない音声データであってもよいし、サービスのテーマ曲や、サービスを告知する音声等のようなサービスに関する音声データであってもよい。
【００８５】
照合対象データ取得部２１２は、コンテンツ送信部２１１が送信中のコンテンツデータから、センサ情報と照合する対象となるデータ（以下、照合対象データと呼ぶ）を生成する。具体的には、照合対象データ取得部２１２は、送信中のコンテンツデータの現在の配信位置以前の所定の時間分の音声データをコンテンツデータから抽出して照合対象データとする。なお、ここでいう所定の時間とは、サービスサーバ２０で事前に設定した時間である。
【００８６】
例えば、コンテンツデータが再生時間が１０分間の音声データであり、現在配信位置が５分３０秒で、所定の時間が１分とする。この場合、照合対象データ取得部２１２は、現在配信位置から１分前までのデータ、すなわち、コンテンツデータのうち４分３０秒〜５分３０秒までの音声データを抽出し、照合対象データとする。
【００８７】
照合部２１４は、センサ情報取得部２１３から受信したセンサ情報と、照合対象データ取得部２１２から受信した照合対象データとを照合して、通信端末１０がサービス提供エリア内にあるか判定する。具体的には、照合部２１４は、照合対象データから音声の振幅を時系列でプロットした波形データを生成する。また、センサ情報からも同様にして波形データを生成する。そして、センサ情報の波形データが、照合対象データの波形データの一部と予め定めた精度において一致している場合に、サービス提供エリア内にあると判定する。この判定結果は、照合部２１４からサービス制御部２１５に送信される。
【００８８】
なお、ここでは照合対象データ取得部２１２が生成した照合対象データを使用する例を説明するが、照合部２１４が照合対象データを生成する構成とすることも可能である。この場合、照合対象データ取得部２１２は省略される。
【００８９】
また、照合部２１４は、センサ情報が、サービス提供エリアにおいて出力されている音声を含んでいるか否かを判定することができるものであればよく、判定の方法は上記の例に限られない。
【００９０】
例えば、出力装置４０から上記コンテンツデータの一部として、またはコンテンツデータとは別のデータとして、判定のための判定用音声データを含めておき、センサ情報から得た波形データに判定用音声データの波形が含まれているかを判定してもよい。
【００９１】
この場合、判定用音声データの波形は、予め取得することができるので、照合対象データ取得部２１２にて照合対象データを生成する必要がなくなる。また、この場合、出力装置４０の周囲の雑音の影響を受け難い波形の判定用音声データを用いて判定の制度を向上させることもできる。この他、人の耳には聞き取ることのできない、あるいは聞き取りが困難な波長の音声が出力される判定用音声データを用いてもよい。
【００９２】
サービス制御部２１５は、通信端末１０にサービスを提供する処理を行う。具体的には、サービス制御部２１５は、通信端末１０からのサービス開始要求の受信時に、照合部２１４から通信端末１０がサービス提供エリア内にある旨の判定結果を受信した場合に、通信端末１０と通信接続を確立する。そして、記憶部２２０からサービスデータ２２１を読み出して、確立した通信接続を介して通信端末１０に送信し、これによりサービスの提供が開始される。
【００９３】
また、サービス制御部２１５は、表示装置４１にサービスに関する画像を表示させる表示制御手段としても機能する。サービスに関する画像としては、例えばサービスの告知画像や、サービスの提供を受けている者に提示する画像が挙げられる。
【００９４】
記憶部２２０は、サービスサーバ２０にて使用する各種データを記憶するものであり、図示の記憶部２２０には、サービス制御部２１５がサービスの提供に使用するサービスデータ２２１が格納されている。
【００９５】
（コンテンツサーバ３０）
コンテンツサーバ３０は、コンテンツデータを配信するサーバである。上述のように、サービスサーバ２０は、コンテンツサーバ３０からコンテンツデータを取得して、出力装置４０に送信し、出力させる。
【００９６】
（出力装置４０）
出力装置４０は、コンテンツデータを受信し、出力する装置である。より詳細には、出力装置４０は、ネットワークを介してサービスサーバ２０と通信可能な構成であり、サービスサーバ２０から受信したコンテンツデータを音声として出力する。
【００９７】
＜サービス提供システムの処理動作＞
次に、サービス提供システム１における処理の流れを図６に基づいて説明する。図６は、サービス提供システム１における処理（接続制御方法）の一例を示すフローチャートである。
【００９８】
コンテンツサーバ３０は、サービスサーバ２０にコンテンツデータを提供する（Ｓ１４０）。そして、サービスサーバ２０のコンテンツ送信部２１１は、サービスサーバ通信部２００を介して上記コンテンツデータを受信する（Ｓ１２０）。
【００９９】
次に、コンテンツ送信部２１１は、上記コンテンツデータを、サービスサーバ通信部２００を介して出力装置４０へ送信する（Ｓ１２２）。そして、出力装置４０は、上記コンテンツデータを受信して（Ｓ１６０）、出力する（Ｓ１６２）。
【０１００】
ここで、通信端末１０のユーザは、サービスサーバ２０が提供するサービスを利用するために、入力部１００から、サービスへ参加するためのＷｅｂページのアドレスを入力する、または、所定のアプリの起動を行うなど、サービスへ参加するための操作を行う。
【０１０１】
この操作を受け、通信端末１０の通信端末制御部１１０は、通信端末センサ部１２０にて通信端末１０の周囲の音声から音声データを生成し、これをセンサ情報としてサービスサーバ２０にアップロードし（Ｓ１００）、サービスの開始を要求する。このとき、ユーザが出力装置４０の周辺に居る場合は、該センサ情報の示す音声には、出力装置４０が出力している音声が含まれることになる。
【０１０２】
サービスサーバ２０のセンサ情報取得部２１３は、サービスサーバ通信部２００を介し上記センサ情報を受信し（Ｓ１２４、端末音声取得ステップ）、照合部２１４へ送信する。
【０１０３】
また、サービスの開始の要求があったことを確認したサービス制御部２１５は、照合対象データ取得部２１２に照合対象データを生成するように指示する。この指示を受信した照合対象データ取得部２１２は、出力装置４０に送信中のコンテンツデータから、照合部２１４が照合に使用する部分を抽出し、これを照合対象データとして照合部２１４へ送信する。
【０１０４】
次に、照合部２１４は、センサ情報取得部２１３から受信したセンサ情報と、照合対象データ取得部２１２から受信したコンテンツデータ（照合対象データ）とが一致するか判断する（Ｓ１２６、判定ステップ）。なお、Ｓ１２６における一致はセンサ情報がサービス提供エリアにおいて出力されている音声を含むことを意味し、不一致は含まないことを意味する。
【０１０５】
そして、照合部２１４は、この判断の結果をサービス制御部２１５に通知する。すなわち、一致すると判断した場合（Ｓ１２６でＹＥＳ）には一致する旨を通知し、一致しないと判断した場合（Ｓ１２６でＮＯ）には一致しない旨を通知する。
【０１０６】
ここで、一致する旨が通知された場合、サービス制御部２１５は、通信端末１０との通信接続を確立し、この通信接続を使用して、記憶部２２０から読み出したサービスデータ２２１を通信端末１０に送信する。これにより通信端末１０へのサービス提供が開始される（Ｓ１２８、接続制御ステップ）。そして、通信端末１０の通信端末制御部１１０は、通信端末通信部１４０を介して上記サービスデータを受信し（Ｓ１０２）、表示部１３０に表示させる。
【０１０７】
一方、一致しない旨が通知された場合、サービス制御部２１５は、通信端末１０との通信接続が確立されているか否かを判断する（Ｓ１３０）。認証時には通信接続がまだ確立されていないため、Ｓ１３０ではＮＯと判断され、通信端末１０へのサービスの提供は行わずにＳ１２０の処理に戻る。
【０１０８】
以上が通信端末１０の認証時の処理である。次に、通信端末１０が認証に成功し、サービスの利用を開始してからの処理を説明する。なお、認証時と同様の処理は説明を簡略化する。
【０１０９】
サービスの利用を開始した後、通信端末１０は、一定時間毎に自機の周囲の音声を取得し、サービスサーバ２０にセンサ情報をアップロードする（Ｓ１００）。なお、センサ情報のアップロードのタイミングは、一定時間ごとに限られず、ランダムな時間間隔でアップロードしてもよい。
【０１１０】
サービスサーバ２０では、センサ情報取得部２１３が上記センサ情報を受信して（Ｓ１２４）照合部２１４へ送信する。また、サービス提供中の通信端末１０からのセンサ情報のアップロードを確認したサービス制御部２１５が、照合対象データ取得部２１２に照合対象データを生成させる。これにより、上記コンテンツデータの一部である称号対象データが照合部２１４に送信される。
【０１１１】
次に、照合部２１４は、上記センサ情報と上記照合対象データとを照合して一致するか判断し（Ｓ１２６）、判断の結果をサービス制御部２１５に通知する。
【０１１２】
ここで、一致する旨の通知を受信した場合、サービス制御部２１５は、サービスの提供を継続する（Ｓ１２８）。そして、通信端末１０は、引き続きサービスを受信する（Ｓ１０２）。つまり、この場合には、通信端末１０とサービスサーバ２０との通信接続は維持され、この通信接続を介したサービスの提供も継続する。
【０１１３】
一方、一致しない旨の通知を受信した場合、サービス制御部２１５は、通信端末１０との通信接続が確立されているか否かを判断する（Ｓ１３０）。認証後には通信接続が確立されているため、サービス制御部２１５は、Ｓ１３０でＹＥＳと判断し、通信端末１０との通信接続を切断し、サービスの提供を終了する（Ｓ１３２）。なお、サービスの提供を終了する際には、通信接続を切断する前に、その旨を通信端末１０に通知してもよい。
【０１１４】
〔具体例〕
次に、サービス提供システム１にて、来場者限定チャットサービスを提供する例を、図７を用いて説明する。図７は、サービス提供システム１にて来場者限定チャットサービスを提供した場合の例を説明する図である。
【０１１５】
より詳細には、図７では、テーマパークや遊園地等の娯楽施設において、乗り物等の順番待ちをしている来場者から見える位置に、出力装置４０を備えた表示装置４１を配置している。そして、来場者が通信端末１０にて書き込んだメッセージを表示装置４１に表示させるサービスを例示している。このようなサービスによれば、順番待ちをしている来場者の気を紛らわせ、また来場者同士の交流を促進することができる。
【０１１６】
同図の（ａ）に示すように、出力装置４０は表示装置４１に備えられており、サービスサーバ２０から受信したコンテンツデータを出力している。なお、コンテンツデータとは、ＢＧＭや環境音などの音声を含むデータであってもよいし、サービスのテーマ曲や、サービスを告知する音声等のようなサービスに関する音声データであってもよい。
【０１１７】
通信端末１０を所持する来場者が、出力装置４０を備えた表示装置４１に近づく。そして、通信端末１０を操作して、所定のＵＲＬを入力する。これにより、同図の（ｂ）に示すように、来場者限定チャットに参加するための画面が通信端末１０に表示される。
【０１１８】
なお、サービスサーバ２０は、上記ＵＲＬ（サービスサーバ２０にアクセスするためのアドレス情報）を含むＱＲコード（登録商標）を表示装置４１に送信して表示させるアドレス送信手段を備えていてもよい。これにより、通信端末１０のユーザのＵＲＬ入力の手間を省くことができる。また、表示装置４１がＵＲＬからＱＲコード（登録商標）を生成する機能を有している場合にはＵＲＬを送信してもよい。これらの場合、表示装置４１は、アドレス情報を表示するアドレス情報提供装置として機能することになる。
【０１１９】
さらに、表示装置４１が近距離にある装置と通信するための近距離通信部を備えている場合には、上記アドレス送信手段は、表示装置４１にＵＲＬを送信して、該近距離通信部からブロードキャスト送信させてもよい。これにより、表示装置４１の近くに位置している通信端末１０にのみＵＲＬを通知することができる。なお、アドレス情報をブロードキャスト送信する装置は、サービス提供エリアに配置されているものであればよく、出力装置４０であってもよいし、他の装置であってもよい。これらの場合、表示装置４０、出力装置４０、または上記他の装置は、サービス提供エリア内の通信端末１０にアドレス情報を送信するアドレス情報提供装置として機能することになる。
【０１２０】
ここで、来場者限定チャットに「参加する」ことを選択すると、通信端末１０は自機の周囲の音を通信端末センサ部１２０で集音してセンサ情報を生成し、サービスサーバ２０アップロードする。そして、センサ情報を受信したサービスサーバ２０は、出力装置４０に送信しているコンテンツデータから照合対象データを生成し、アップロードされたセンサ情報と照合する。
【０１２１】
ここでは、通信端末１０は、出力装置４０の近傍にあるため、上記センサ情報には、出力装置４０が出力している音声が含まれている。よって、上記センサ情報は上記照合対象データと一致すると判定され、サービスサーバ２０は通信端末１０へのサービス提供を開始する。すなわち、サービスサーバ２０は、通信端末１０と通信接続を確立し、この通信接続を介して来場者限定チャットサービスを通信端末１０に提供する。
【０１２２】
これにより、同図の（ｃ）に示すように、通信端末１０は来場者限定チャットに参加してメッセージを送受信することができるようになる。なお、サービスサーバ２０と通信端末１０との間には、通信接続が確立されているため、通信端末１０の所持者は、出力装置４０の近くに居る限り、この通信接続を介して来場者限定チャットに参加し続けることができる。
【０１２３】
一方、通信端末１０の所持者が出力装置４０から離れた場合、通信端末１０が取得するセンサ情報に、出力装置４０が出力している音声が含まれなくなるか、または含まれていたとしても、センサ情報から該音声を識別することが困難となる。つまり、上記センサ情報と照合対象データが一致しないと判定される状態となる。
【０１２４】
これにより、サービスサーバ２０は、通信接続を切断して、通信端末１０へのサービスの提供を終了することを決定する。このときに、サービスサーバ２０から通信端末１０にサービスの提供の終了を通知した場合、通信端末１０はその旨を表示する。例えば、同図の（ｄ）に示すように、通信端末１０は、施設から離れたことによってサービスから切断されたことを表示してもよい。
【０１２５】
なお、図７の（ｄ）のように、通信端末１０の所持者が表示装置４１から離れた場合にサービスの提供そのものを停止してもよいが、提供するサービスのレベルを変更し、サービスの提供を継続してもよい。例えば、表示装置４１から離れた場合には、上記来場者限定チャットへの参加（メッセージの書込み）はできないが、当該チャットのログは見ることができるようにしてもよい。
【０１２６】
また、サービス制御部２１５は、センサ情報、つまり通信端末１０が生成した音声データが示す音の大きさに応じて提供するサービスの内容を異ならせてもよい。例えば、音の大きさに応じて異なるメッセージを表示させてもよい。また、サービスに参加しようとする通信端末１０が複数ある場合、音の大きさが最も大きいセンサ情報を送信した通信端末１０に優先的にサービスを提供してもよいし、音の大きさの順番に応じて異なる内容をサービスを提供してもよい。この場合、サービス制御部２１５は、受信した音声データの示す音の大きさに応じて提供するサービスの内容を異ならせるサービス制御手段としても機能することになる。なお、音の大きさの比較は、音声データの波形（振幅）の大きさを、音の大きさとみなすことによって行うことができる。
【０１２７】
また、上記の例では、サービスの終了をセンサ情報と照合対象データとが一致するか否かのみによって判断しているが、他の要素を考慮してサービスの終了を判断してもよい。例えば、通信端末１０が来場者限定チャットに参加して１時間が経過していたらサービス提供を停止する等、センサ情報が照合対象データと一致する場合であっても、サービスの利用継続時間に応じてサービス提供を停止してもよい。
【０１２８】
以上のように、サービス提供システム１では、コンテンツデータから抽出した照合対象データと、通信端末１０が該通信端末１０の周囲の音から生成したセンサ情報とを照合する。そして、通信端末１０の周囲の音に上記コンテンツデータに基づく音が含まれる場合にサービスを提供している。
【０１２９】
このように、認証時または生存応答時に出力装置４０の近くに存在していなければ取得することのできないセンサ情報を照合に使用することにより、サービスの不正利用を困難にすることができる。
【０１３０】
これは、出力装置４０からどのようなコンテンツデータが出力されるかが分からなければ、照合対象データと一致するセンサ情報を偽装することはできないためである。また、仮に出力装置４０から出力されるコンテンツデータが知得されたとしても、認証時または生存応答時に、そのコンテンツデータのどの部分が出力されているかが分からなければ照合対象データと一致するセンサ情報を偽装することはできないためである。
【０１３１】
また、仮に録音した音声データを用いる等して認証に成功したとしても、出力装置４０の近傍に居ない限り、経時変化する照合対象データと一致するセンサ情報を生成し続けることは困難であるから、サービス提供を受け続けることは更に困難である。
【０１３２】
したがって、サービス提供システム１を用いることにより、例えばイベント限定サービスや地域限定サービスを提供する際に、通信端末の識別情報や位置情報を用いて認証を行う従来の構成に比べて、不正なサービス享受をより困難にすることができる。
【０１３３】
また、サービス提供システム１では、該システムを構成するコンテンツサーバ３０、出力装置４０、および表示装置４１として、一般に流通している装置を適用することができる。そして、一般に流通しているスマートフォン等の通信端末はマイクを備えているため、例えばアプリケーションソフトをインストールする等してセンサ情報を送信する機能を持たせさえすれば、通信端末１０として機能させることが可能である。
【０１３４】
〔実施の形態２〕
上記実施形態のサービス提供システム１では、コンテンツデータから抽出した照合対象データを照合に用いているため、サービスサーバ２０以外の主体がコンテンツデータの送信を行う場合への適用が難しいことも想定される。
【０１３５】
そこで、本実施形態では、サービスサーバ以外の主体がコンテンツデータの送信を行う場合にも適用可能なサービス提供システムについて、図８から図１１に基づいて説明する。なお、上記実施形態と同様の構成には同一の参照番号を付し、その説明を省略する。
【０１３６】
＜動作概要＞
まず、本実施形態に係るサービス提供システムの動作概要を図８に基づいて説明する。図８は、出力装置の近傍に配置された入力装置で取得した音声データを照合に用いるサービス提供システム２の動作概要を示す図であり、同図の（ａ）は認証時の動作を示し、同図の（ｂ）は認証後の動作を示している。
【０１３７】
図８のサービス提供システム２は、通信端末５０と、サービスサーバ（接続制御装置、サービス提供装置）６０と、コンテンツサーバ７０と、出力装置８０と、表示装置８１と、入力装置（音声データ取得装置）９０とを含む。サービスサーバ６０と通信端末５０、サービスサーバ６０と入力装置９０、およびコンテンツサーバ７０と出力装置８０は、ネットワークを介してデータ通信を行うように構成されている。
【０１３８】
同図の（ａ）において、出力装置８０は、コンテンツサーバ７０からコンテンツデータを受信している。入力装置９０は、出力装置８０の近傍にあり、出力装置８０の出力している音から音声データを生成してサービスサーバ６０に送信する。
【０１３９】
このように、サービス提供システム２では、コンテンツデータをコンテンツサーバ７０が送信しており、サービスサーバ６０はコンテンツデータの送信に関与していない。このため、サービスサーバ６０は、入力装置９０から受信した音声データを照合に使用する。
【０１４０】
つまり、サービス提供システム２では、通信端末５０がその周囲の音声から生成した音声データをサービスサーバ６０に送信し、入力装置９０が出力装置８０の出力するコンテンツデータが反映された音声データを送信する。
【０１４１】
このため、同図の（ａ）に示すように、通信端末５０が出力装置８０の近くに存在している場合には、通信端末５０からの音声データと、入力装置９０からの音声データとがある程度の精度で一致する。よって、両音声データを照合することにより、その一致の程度から、通信端末５０が出力装置８０の近くに存在しているか否か、言い換えれば通信端末５０がサービス提供エリア内に存在しているか否かを判定することができる。これにより、上記実施形態と同様に、サービス提供エリア内に存在している通信端末５０のみにサービスの提供を開始することができる。
【０１４２】
ここで、同図（ｂ）に示すように、認証に成功し、サービスサーバ６０との通信接続を確立した通信端末５０は、サービスサーバ６０に生存応答および自機で生成した音声データを送信する。
【０１４３】
そして、サービスサーバ６０は、認証時と同様に、通信端末５０から受信した音声データと、そのときに入力装置９０から受信していた音声データとを照合する。ここで、通信端末５０がサービス提供エリア内にあると判定した場合には、通信接続を維持してサービスの提供を続ける。一方、通信端末５０がサービス提供エリア外にあると判定した場合には、通信接続を切断してサービスの提供を終了する。これにより、認証後に出力装置８０から離れた通信端末５０に対するサービスの提供を打ち切ることができる。
【０１４４】
＜要部構成＞
次に、サービス提供システム２に含まれる各装置の要部構成を図９に基づいて説明する。図９は、サービス提供システム２に含まれる通信端末５０およびサービスサーバ６０の要部構成を示すブロック図である。
【０１４５】
（通信端末５０）
通信端末５０は、上記実施形態の通信端末１０と同様の構成を備えている。
【０１４６】
（サービスサーバ６０）
サービスサーバ６０は、図１のサービスサーバ２０と比べて、コンテンツ送信部２１１および照合対象データ取得部２１２が存在せず、照合部２１４がセンサ情報取得部２１３が取得する情報を受信して照合を行う点で相違している。
【０１４７】
センサ情報取得部２１３（端末音声取得手段、エリア音声取得手段）は、入力装置９０および通信端末５０のそれぞれから音声データを受信し、照合部２１４に送信する。サービス提供システム１の場合と同じく、センサ情報取得部２１３は、受信した音声データを、照合部２１４が照合し易いように加工してもよい。
【０１４８】
照合部２１４は、センサ情報取得部２１３から入力装置９０の生成した音声データと、通信端末５０が生成した音声データとを受信し、両者を照合することにより通信端末１０がサービス提供エリア内にあるか判定する。判定結果は、照合部２１４からサービス制御部２１５に送信される。なお、照合および判定の方法は上述した通りである。
【０１４９】
（コンテンツサーバ７０）
コンテンツサーバ７０は、コンテンツデータを出力装置８０に送信して出力させる。コンテンツサーバ７０の機能および構成は、上記実施形態のコンテンツサーバ３０と同様である。
【０１５０】
（出力装置８０）
出力装置８０は、コンテンツサーバ７０から受信して出力する。出力装置８０の機能および構成は上記実施形態の出力装置４０と同様である。
【０１５１】
（入力装置９０）
入力装置９０は、該入力装置９０の周囲の音声を音声データとして取得し、サービスサーバ６０に送信する装置である。ここでは、入力装置９０は出力装置８０の近傍に配置されているため、出力装置８０の出力するコンテンツに基づく音声を含む音声データを生成し、サービスサーバ６０に送信することになる。
【０１５２】
＜サービス提供システムの処理動作＞
次に、サービス提供システム２における処理の流れを図１０に基づいて説明する。図１０は、サービス提供システム２における処理（接続制御方法）の一例を示すフローチャートである。
【０１５３】
まず、コンテンツサーバ３０は、出力装置８０にコンテンツデータを提供する（Ｓ２４０）。そして、出力装置８０は、上記コンテンツデータを受信し（Ｓ２６０）、出力する（Ｓ２６２）。
【０１５４】
入力装置９０は、その周囲の音声を常時取得し、これに基づく音声データを生成・取得している（Ｓ２８０）。そして、取得した音声データをサービスサーバ６０へアップロードしている（Ｓ２８２）。
【０１５５】
ここで、通信端末５０のユーザが、サービスへ参加するための操作を行うと、通信端末５０の通信端末制御部１１０は、通信端末センサ部１２０にて自機の周囲の音声から音声データを生成し、サービスサーバ６０へアップロードする（Ｓ２００）。また、通信端末制御部１１０は、サービスサーバ６０にサービスの開始を要求する。
【０１５６】
サービスサーバ６０のセンサ情報取得部２１３は、入力装置９０から音声データを受信する（Ｓ２２０）と共に、通信端末５０からも音声データを受信し（Ｓ２２２、端末音声取得ステップ）、これらの音声データを照合部２１４へ送信する。
【０１５７】
次に、照合部２１４は、センサ情報取得部２１３から受信した両音声データが一致するか判断し（Ｓ２２４、判定ステップ）、その結果をサービス制御部２１５に通知する。なお、上述のように、各音声データの波形が一定以上の精度で一致していれば一致すると判断する。
【０１５８】
ここで、一致する旨が通知された場合（Ｓ２２４でＹＥＳ）、サービス制御部２１５は、通信端末５０と通信接続を確立してサービス提供を開始する（Ｓ２２６、接続制御ステップ）。そして、通信端末５０は、上記サービスデータを受信し（Ｓ２０２）、表示部１３０に表示させる。
【０１５９】
一方、一致しない旨が通知された場合（Ｓ２２４でＮＯ）、サービス制御部２１５は、通信端末５０との通信接続が確立されているか否かを判断する（Ｓ２２８）。認証時の場合は通信接続がまだ確立されていないため、Ｓ２２８ではＮＯと判断され、通信端末５０へのサービス提供は行わずにＳ２２０の処理に戻る。一方、認証後の場合は通信接続が確立されているため、サービス制御部２１５は、Ｓ２２８でＹＥＳと判断し、通信端末５０との通信接続を切断し、サービスの提供を終了する（Ｓ２３０）。
【０１６０】
上記実施形態と同様、本実施形態においても、サービスの利用開始後も通信端末５０は音声データを定期的に取得し、サービスサーバ６０へ送信する（Ｓ２００）。また、上述の通り、入力装置９０も音声データの取得（Ｓ２８０）、およびサービスサーバ６０へのアップロード（Ｓ２８２）を定期的に行っている。
【０１６１】
なお、両音声データの取得タイミングが完全に一致していなくとも、取得された時間帯に重複する部分があれば、照合に成功し得るが、時間帯に重複する部分がなければ照合に成功することはない。
【０１６２】
このため、入力装置９０による音声データの取得・アップロードのタイミングと、通信端末５０による音声データの取得・アップロードのタイミングとができるだけ近くなるようにすることが望ましい。例えば、音声データの取得・アップロードのタイミングを通信端末５０および入力装置９０に対してサービスサーバ６０から指定してもよい。
【０１６３】
＜サービスサーバからセンサ情報およびセンサ装置センサ情報を要求する例＞
図１０のフローチャートでは、通信端末５０および入力装置９０が主体的に音声データをアップロードする例を示したが、サービスサーバ６０から音声データの送信を要求するようにしてもよい。
【０１６４】
以下、図１１を用いて、サービスサーバ６０から音声データの送信を要求する場合の処理の流れを説明する。図１１は、サービス提供システム２において、サービスサーバ６０から音声データの送信を要求する場合の処理の一例を示すフローチャートである。なお、同図のフローは、認証に成功してサービスが提供されている（サービスサーバ６０と通信端末５０の通信接続が確立されている）状態から開始している。
【０１６５】
図１０と同様に、図１１の場合も、コンテンツサーバ３０は、出力装置８０にコンテンツデータを提供し（Ｓ３４０）、出力装置８０は上記コンテンツデータを受信し（Ｓ３６０）、出力している（Ｓ３６２）。
【０１６６】
ここで、サービスの提供を受けている通信端末５０が、サービスサーバ６０に対してサービスデータの送信を要求し（Ｓ３００）、サービスサーバ６０は、この要求を受信する（Ｓ３２０）。
【０１６７】
サービス制御部２１５は、サービスデータの要求の受信を確認すると、センサ情報取得部２１３に通信端末５０から音声データを取得するように指示し、センサ情報取得部２１３はこの指示に従って通信端末５０に音声データを要求する（Ｓ３２２）。また、この際に生存応答要求を合わせて送信してもよい。
【０１６８】
なお、本例では、サービスデータの送信要求時に音声データを要求しているが、音声データを要求するタイミングは特に限定されない。例えば、通信端末５０からデータを受信したときに要求してもよいし、一定時間毎に要求してもよいし、ランダムな時間間隔で要求してもよい。
【０１６９】
通信端末５０の通信端末制御部１１０は、サービスサーバ６０からの音声データの要求を受信すると、通信端末センサ部１２０にて自機周辺の音声データを取得してサービスサーバ６０にアップロードする（Ｓ３０４）。なお、Ｓ３２２において生存応答要求が送信されている場合には、センサ情報のアップロードの際に生存応答を送信する。
【０１７０】
サービスサーバ６０のサービス制御部２１５は、音声データの受信（Ｓ３２４）を確認すると、次は入力装置９０から音声データを取得するようにセンサ情報取得部２１３に指示する。センサ情報取得部２１３は、この指示に従って入力装置９０に音声データを要求する（Ｓ３２６）。なお、通信端末５０に対する音声データの要求と入力装置９０に対する音声データの要求の順序は逆でもよいし、これらの要求を同時に行ってもよい。
【０１７１】
入力装置９０は、サービスサーバ６０からの音声データの要求を受信すると、自装置周辺の音声から音声データを取得し（Ｓ３８０）、サービスサーバ６０にアップロードする（Ｓ３８２）。
【０１７２】
そして、サービスサーバ６０のサービス制御部２１５は、入力装置９０からの音声データの受信（Ｓ３２８）を確認すると、Ｓ３２４で受信した通信端末５０の音声データと一致するかを判定するように照合部２１４に指示する。
【０１７３】
この指示を受信した照合部２１４は、センサ情報取得部２１３から両音声データを取得し、一致するか判定する（Ｓ３３０）。なお、この判定方法や基準は、上述の通りである。
【０１７４】
照合部２１４は、一致すると判断した場合（Ｓ３３０でＹＥＳ）、その旨をサービス制御部２１５に通知する。この場合、サービス制御部２１５は、通信端末５０との通信接続を維持して、引き続き通信端末５０に対しサービスを提供し（Ｓ３３２）、通信端末５０は、上記通信接続を介してこのサービスを受信する（Ｓ３０６）。
【０１７５】
一方、照合部２１４は、一致しないと判断した場合（Ｓ３３０でＮＯ）には、その旨をサービス制御部２１５に通知する。この場合、サービス制御部２１５は、通信端末５０との通信接続を切断し、通信端末５０へのサービスの提供を終了する（Ｓ３３４）。
【０１７６】
以上のように、サービスサーバ６０が通信端末５０および入力装置９０に対して音声データの要求を行う構成とした場合、通信端末５０や入力装置９０はサービスサーバ６０から要求があった時だけ音声データの取得および送信を行えばよい。したがって、この構成によれば、通信端末５０および入力装置９０が一定期間ごとに音声データをアップロードする構成と比べて、通信端末５０および入力装置９０の処理負荷を軽減することができる。これは、特に、省電力化の必要性の高い通信端末５０にとってメリットが大きい。
【０１７７】
なお、音声データの照合のタイミングは、この例に限られず、例えば通信端末５０が移動したときに、該通信端末５０から音声データをアップロードし、該音声データがアップロードされたタイミングで入力装置９０から音声データを取得して照合を行ってもよい。通信端末５０の移動は、通信端末５０にＧＰＳ受信機等の測位装置を搭載することで検出することが可能である。
【０１７８】
また、上記では、通信端末５０とサービスサーバ６０との間に確立された通信接続を利用して通信端末５０からサービスサーバ６０に音声データをアップロードする例を示したが、この例に限られない。
【０１７９】
例えば、サービスサーバ６０から通信端末５０に音声データの送信先および送信方法を通知しておいてもよい。より具体的には、サービス制御部２１５は、サービスの提供開始時等に、サービスを再開するためのアクセス先のアドレス情報を通信端末５０に送信してもよい。この場合、通信端末５０は、サービスを再開するときに、このアドレス情報を用いて上記アクセス先にアクセスして音声データをアップロードする。そして、サービスサーバ６０のサービス制御部２１５は、照合部２１４が通信端末５０はサービス提供エリア内であると判定した場合に、通信接続を確立してサービスの提供を再開してもよい。
【０１８０】
これにより、通信端末５０は、出力装置８０から離れたことによってサービス終了となった場合であっても、サービス提供エリアに戻って音声データを通知することにより、認証を再び行うことなくスムーズに再開することが可能になる。
【０１８１】
なお、図１０の例では通信端末５０および入力装置９０の双方が主体的に音声データをアップロードし、図１１の例ではサービスサーバ６０から通信端末５０および入力装置９０の双方に音声データの送信を要求しているが、これらを折衷した処理としてもよい。
【０１８２】
例えば、通信端末５０は主体的に音声データをアップロードし、入力装置９０はサービスサーバ６０からの要求に応じて音声データのアップロードを開始してもよい。すなわち、図１０の例における入力装置９０からの音声データの取得を、図１１のＳ３２６、Ｓ３８０、Ｓ３８２、Ｓ３２８の処理によって行ってもよい。なお、一度アップロードを行った後は、常時または一定時間間隔でアップロードを継続するようにしてもよい。
【０１８３】
同様に、入力装置９０は主体的に音声データをアップロードし、通信端末５０はサービスサーバ６０からの要求に応じて音声データのアップロードを開始してもよい。すなわち、図１０の例における通信端末５０からの音声データの取得を、図１１のＳ３２２、Ｓ３０２、Ｓ３０４、Ｓ３２４の処理によって行ってもよい。
【０１８４】
〔実施の形態３〕
上記実施形態では、サービス提供エリアで出力されている音声を通信端末が取得できた場合に、該通信端末がサービス提供エリア内であると判断してサービスを提供する例を示したが、通信端末がサービス提供エリア内にあるかを判断する方法はこれに限られない。
【０１８５】
本実施形態では、特定のエリアのみを対象とし、当該エリア内であれば受信可能な放送（以下、地域限定放送と呼ぶ）を通信端末が受信可能であるか否かに応じてサービスを提供する例を図１２から図１４に基づいて説明する。なお、上記実施形態と同様の構成には同一の参照番号を付し、その説明を省略する。
【０１８６】
＜動作概要＞
まず、本実施形態に係るサービス提供システムの動作概要を図１２に基づいて説明する。図１２は、地域限定放送を受信可能な通信端末にサービスを提供するサービス提供システム２の動作概要を示す図であり、同図の（ａ）は認証時の動作を示し、同図の（ｂ）は認証後の動作を示している。
【０１８７】
図１２のサービス提供システム３は、通信端末３００とサービスサーバ（接続制御装置、サービス提供装置）３１０とを含む。サービスサーバ３１０と通信端末３００は、ネットワークを介してデータ通信を行うように構成されている。
【０１８８】
同図の（ａ）に示すように、サービスサーバ３１０は、通信端末３００に地域限定放送の受信可否を通知するように要求する。図示の例では、通信端末３００が地域限定放送の放送エリア内に存在するため、上記の問合せに対して、通信端末３００は放送を受信可能であることを通知する。
【０１８９】
そして、地域限定放送を受信可能である旨の通知を受信したサービスサーバ３１０は、通信端末３００と通信接続を確立し、該通信接続を介したサービスの提供を開始する。つまり、サービスサーバ３１０は、サービスの提供を受けようとする通信端末３００が地域限定放送を受信可能である場合に、該通信端末３００について認証成功と判断する。この判断手法によれば、地域限定放送の放送エリアがサービス提供エリアと一致することになる。
【０１９０】
また、サービスサーバ３１０は、認証成功後において、サービスの提供を受けている通信端末３００に対して、地域限定放送の受信可否の通知を要求する。ここで、通信端末３００が地域限定放送の放送エリア内に存在する場合には、地域限定放送を受信可能である旨の通知が受信され、サービスの提供を継続する。
【０１９１】
一方、同図（ｂ）に示すように、通信端末３００が地域限定放送の放送エリア外に出ている場合には、地域限定放送を受信不可である旨の通知が受信される。この場合、サービスサーバ３１０は、通信端末３００との通信接続を切断してサービス提供を終了する。
【０１９２】
このように、サービス提供システム３によれば、地域限定放送の放送エリア内の通信端末３００のみに対してサービスを提供することができる。これにより、例えばあるエリアでイベントが行われており、そのエリアにおいてそのイベントに関する地域限定放送が行われているような場合に、そのイベントの参加者のみに対してサービスを提供することも可能になる。
【０１９３】
＜要部構成＞
次に、サービス提供システム３に含まれる各装置の要部構成を図１３に基づいて説明する。図１３は、サービス提供システム３に含まれる通信端末３００およびサービスサーバ３１０の要部構成を示すブロック図である。
【０１９４】
（通信端末３００）
通信端末３００は、図１の通信端末１０と比べて、通信端末センサ部１２０が放送受信部３０１に代わっている点で相違している。放送受信部３０１は、地域限定放送を受信するためのものである。なお、地域限定放送は、特定のエリア内でのみ受信可能な放送であればよく、例えば特定のエリアのみで受信可能な地域限定のワンセグ放送のような動画コンテンツであってもよいし、地域限定のラジオ放送のような音声コンテンツであってもよい。また、放送受信部３０１は、地域限定放送の放送波を受信するものであってもよいし、インターネット等のネットワークを介して地域限定放送を受信するものであってもよい。なお、インターネット等のネットワークを介する場合、例えばＧＰＳ受信機（図示せず）によって取得した通信端末３００の位置情報を地域限定放送の送信サーバに送信する等によって、地域限定放送を受信することが可能である。
【０１９５】
通信端末制御部１１０は、地域限定放送の受信可否の問合せを受信したときに、放送受信部３０１が当該地域限定放送を受信可能か判断し、その判断結果をサービスサーバ３１０に通知する。
【０１９６】
（サービスサーバ３１０）
サービスサーバ３１０は、サービスサーバ通信部２００と、サービスサーバ制御部２１０と、記憶部２２０とを備えている。そして、サービスサーバ通信部２００には、サービス制御部（接続制御手段、表示制御手段）２１５と受信可否判定部（受信可否判定手段）３１１とが含まれている。また、記憶部２２０には、サービスデータ２２１に加えて、サービスの提供の可否を判定する規準となる地域限定放送を示す放送指定情報３１２が格納されている。
【０１９７】
受信可否判定部３１１は、サービスの提供を受けようとする通信端末３００が所定の地域限定放送を受信可能であるか判定する。具体的には、受信可否判定部３１１は、通信端末３００からサービスの提供要求を受信したときに、該通信端末３００に対して、放送指定情報３１２が示す地域限定放送の受信可否を通知するように要求する。そして、この要求に応じて放送の受信可能通知を受信したときには、通信端末３００が所定の地域限定放送を受信可能と判定し、受信不可通知を受信したときには、受信不可と判定する。
【０１９８】
なお、サービスサーバ３１０のサービス提供エリアは、複数存在してもよい。この場合、放送指定情報３１２は、各サービス提供エリアと、それに対応する地域限定放送を示す情報とが対応付けられたものとする。そして、サービス制御部２１５は、認証に成功した場合、その認証に用いた地域限定放送に応じたサービスを提供する。
【０１９９】
＜サービス提供システムの処理動作＞
次に、サービス提供システム３における処理の流れを図１４に基づいて説明する。図１４は、サービス提供システム３における処理（接続制御方法）の一例を示すフローチャートである。
【０２００】
まず、通信端末３００のユーザが、サービスへ参加するための操作を行う。これにより、通信端末３００の通信端末制御部１１０は、サービスサーバ６０にサービス提供要求を送信する（Ｓ４００）。
【０２０１】
次に、サービスサーバ３１０のサービス制御部２１５は、上記サービス提供要求の受信を確認する（Ｓ４２０）と、受信可否判定部３１１に指示して、サービスの提供を要求している通信端末３００が地域限定放送を受信可能か判定させる。
【０２０２】
この指示を受信した受信可否判定部３１１は、放送指定情報３１２を参照して、提供が要求されているサービスに対応する地域限定放送を特定する。そして、特定した地域限定放送の受信可否を通知するように通信端末３００に要求する（Ｓ４２２）。
【０２０３】
通信端末３００の通信端末制御部１１０は、この要求の受信を確認する（Ｓ４０２）と、放送受信部３０１にて上記地域限定放送を受信可能であるか判断する。そして、この判断の結果をサービスサーバ３１０に通知する（Ｓ４０４）。
【０２０４】
次に、サービスサーバ３１０の受信可否判定部３１１は、通信端末３００から受信した上記通知が、地域限定放送を受信可能であることを示すものであるか否かを確認する（Ｓ４２６、受信可否判定ステップ）。そして、確認の結果をサービス制御部２１５に通知する。
【０２０５】
ここで、受信可能である旨が通知されたことが確認された場合（Ｓ４２６でＹＥＳ）、サービス制御部２１５は、通信端末３００と通信接続を確立してサービス提供を開始する（Ｓ４２８、接続制御ステップ）。そして、通信端末３００は、サービスデータを受信して（Ｓ４０６）、表示部１３０に表示させる。
【０２０６】
この後、サービスサーバ３１０の処理はＳ４２２に戻る。すなわち、サービス提供開始後において、サービスサーバ３１０は、通信端末３００に対して定期的に放送受信可否の送信を要求し、これによりサービス提供エリア外に出た通信端末３００へのサービスの提供を打ち切るようにしている。
【０２０７】
一方、Ｓ４２６で受信不可である旨が通知されたことが確認された場合（Ｓ４２６でＮＯ）、サービス制御部２１５は、通信端末３００との通信接続が確立されているか否かを判断する（Ｓ４３０）。認証時の場合は通信接続がまだ確立されていないため、Ｓ４３０ではＮＯと判断され、通信端末３００へのサービス提供は行わずにＳ４２０の処理に戻る。一方、認証後の場合は通信接続が確立されているため、サービス制御部２１５は、Ｓ４３０でＹＥＳと判断し、通信端末３００との通信接続を切断し、サービスの提供を終了する（Ｓ４３２）。
【０２０８】
〔変形例〕
上述のサービス提供システム１では、サービスサーバ２０が、サービス開始のための通信接続の許否を判定する接続制御処理、サービスの提供処理、およびサービスを継続するか否かの判定処理を行っているが、これらの処理の実行主体はこの例に限られない。
【０２０９】
例えば、接続制御処理を行う接続制御装置と、サービスを提供するサービス提供装置と、サービスの継続判定を行う継続監視装置とをネットワークを介して通信可能に接続したシステムであっても、上記サービスサーバ２０と同様の機能を実現できる。この場合、接続制御装置は、通信端末から受信した音声データが、サービス提供エリアにおいて出力されている音声を含むと判定した場合に、通信端末とサービス提供装置との通信接続を許可する構成となる。サービス提供システム２および３においても同様である。
【０２１０】
また、上述のサービス提供システム１では、サービスサーバ２０およびコンテンツサーバ３０が独立した個別の装置であるが、これらは通信端末１０以外の装置と一体に構成されていてもよい。例えば、サービスサーバ２０とコンテンツサーバ３０とが一体に構成されていてもよいし、サービスサーバと２０と出力装置４０とが一体に構成されていてもよい。また、サービスサーバと２０と出力装置４０と表示装置４１とが一体に構成されていてもよい。
【０２１１】
同様に、サービス提供システム２においても、サービスサーバ６０およびコンテンツサーバ７０は、通信端末５０以外の装置と一体に構成されていてもよい。また、入力装置９０は、出力装置８０と一体に構成されていてもよい。
【０２１２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０２１３】
〔ソフトウェアによる実現例〕
最後に、サービスサーバ２０、６０、および３１０の各ブロック、特にサービスサーバ制御部２１０は、集積回路（ＩＣチップ）上に形成された論理回路によってハードウェア的に実現してもよいし、ＣＰＵ（Central Processing Unit）を用いてソフトウェア的に実現してもよい。
【０２１４】
後者の場合、サービスサーバ２０、６０、および３１０は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアであるサービスサーバ、６０、および３１０の制御プログラムのプログラムコード（実行形式プログラム、中間コードプログラム、ソースプログラム）をコンピュータで読み取り可能に記録した記録媒体を、サービスサーバ２０、６０、および３１０に供給し、そのコンピュータ（またはＣＰＵやＭＰＵ）が記録媒体に記録されているプログラムコードを読み出し実行することによっても、達成可能である。
【０２１５】
上記記録媒体としては、一時的でない有形の媒体（non-transitory tangible medium）、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【０２１６】
また、サービスサーバ２０、６０、および３１０を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波ディジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０２１７】
本発明は、特定エリア内の通信端末にサービスを提供するサーバに利用することができる。
【符号の説明】
【０２１８】
１  サービス提供システム
１０  通信端末
２０  サービスサーバ（接続制御装置、サービス提供装置）
２１１  コンテンツ送信部（音声出力制御手段）
２１３  センサ情報取得部（端末音声取得手段）
２１４  照合部（判定手段）
２１５  サービス制御部（接続制御手段、表示制御手段、サービス制御手段）
４０  出力装置（音声出力装置）
２  サービス提供システム
５０  通信端末
６０  サービスサーバ（接続制御装置、サービス提供装置）
２１３  センサ情報取得部（端末音声取得手段、エリア音声取得手段）
２１４  照合部（判定手段）
２１５  サービス制御部（接続制御手段、表示制御手段）
９０  入力装置（音声データ取得装置）
３  サービス提供システム
３００  通信端末
３１０  サービスサーバ（接続制御装置、サービス提供装置）
２１５  サービス制御部（接続制御手段、表示制御手段）
３１１  受信可否判定部（受信可否判定手段）
【図１】
2014056398.tif 000003
【図２】
2014056398.tif 000004
【図３】
2014056398.tif 000005
【図４】
2014056398.tif 000006
【図５】
2014056398.tif 000007
【図６】
2014056398.tif 000008
【図７】
2014056398.tif 000009
【図８】
2014056398.tif 000010
【図９】
2014056398.tif 000011
【図１０】
2014056398.tif 000012
【図１１】
2014056398.tif 000013
【図１２】
2014056398.tif 000014
【図１３】
2014056398.tif 000015
【図１４】
2014056398.tif 000016